(57)【要約】【課題】給電用電線の断線と電気発光エレメントの短寿命化のおそれをなくす。【解決手段】点灯電力を供給する給電用電線に沿って複数の電気発光エレメント３Ａ〜３Ｇ，３ａ〜３ｇが分散配置されている。給電用電線としての絶縁被覆電線２Ａ〜２Ｃと、この絶縁被覆電線２Ａ〜２Ｃの長手方向に沿って所定距離を隔てて絶縁被覆電線２Ａ〜２Ｃと電気的に接続されている複数の電気発光エレメント３Ａ〜３Ｇ，３ａ〜３ｇと、絶縁被覆電線２Ａ〜２Ｃが電気発光エレメント３Ａ〜３Ｇ，３ａ〜３ｇごと挿通されている透光性および可撓性を有する長尺コイル体４と、からなる表示器本体５を備えている。【選択図】図１
0003122077.tif 000002
【実用新案登録請求の範囲】
【請求項１】
点灯電力を供給する給電用電線に沿って複数の電気発光エレメントが分散配置されている電光表示器において、
前記給電用電線としての絶縁被覆電線と、この絶縁被覆電線の長手方向に沿って所定距離を隔てて絶縁被覆電線と電気的に接続されている複数の電気発光エレメントと、前記絶縁被覆電線が電気発光エレメントごと挿通されている透光性および可撓性を有する管状中空体と、からなる表示器本体を備えていることを特徴とする電光表示器。
【請求項２】
前記管状中空体が、透明プラスチック製線材を螺旋状に巻回してなる長尺コイル体である請求項１に記載の電光表示器。
【請求項３】
前記長尺コイル体では、透明プラスチック製線材が線材同士の間にギャップを生じる状態で巻回されている請求項２に記載の電光表示器。
【請求項４】
前記表示器本体が、透光性材料からなるネット製の鞘状外套体で覆われている請求項１〜３のいずれか１項に記載の電光表示器。
【請求項５】
前記絶縁被覆電線に生じた分枝ラインの先端に、電気発光エレメントが接続されている請求項１〜４のいずれか１項に記載の電光表示器。
【考案の詳細な説明】
【技術分野】
【０００１】
本考案は電光表示器に関し、詳しくは、点灯電力を供給する給電用電線に沿って複数の電気発光エレメントが分散配置されている電光表示器であり、特に電光サイン（いわゆるネオンサイン等の電光看板）あるいはクリスマスツリーの電飾などに用いられる電光表示器に関する。
【背景技術】
【０００２】
電光サインやクリスマスツリーの電飾などに用いられる従来の電光表示器として、図６に示すように、多数の電気発光エレメント６１が点灯電力を供給する給電用電線としての縒り線タイプの２本の裸電線６２に沿って分散配置されているものがある。図６に示す電光表示器の場合、直列に別の単線タイプの裸電線６３で接続された幾つかの電気発光エレメント６１の一側端の電気発光エレメント６１が、一方の裸電線６２に電気的に接続されていると共に、他側端の電気発光エレメント６１が他方の裸電線６２に電気的に接続されていて、２本の裸電線６２が通電状態となるのに伴って、電気発光エレメント６１に点灯用電力が供給されて電気発光エレメント６１が発光する。
【０００３】
また、図６の電光表示器の場合、電気発光エレメント６１と裸電線６２，６３が透光性を有する太い電気絶縁樹脂製コード６４の中に完全に埋め込まれていて、電気絶縁樹脂製コード６４が電気発光エレメント６１および裸電線６２，６３の担持案内と裸電線６２，６３の電気的絶縁の両方の役割を、発光機能を損なわずに果たしている。
【０００４】
従来の電光表示器を使って電光サインを造るときは、電気絶縁樹脂製コード６４を電光サインの図柄に沿って曲げて取り付けておき、裸電線６２を通電状態にして、電気発光エレメント６１に点灯電力を供給することにより電気発光エレメント６１を光らせると、電光サインが図柄通りに明るく浮かびあがる。
【考案の開示】
【考案が解決しようとする課題】
【０００５】
しかしながら、従来の電光表示器の場合、特に鋭角に曲げる動作によって、給電用電線が断線するというおそれがあるのに加えて、電気発光エレメントが短寿命化するおそれがあるいう問題がある。
【０００６】
すなわち、電気絶縁樹脂製コード６４は太くて撓み難いので、電光サインの図柄によっては、時として電光サインの図柄通りに無理に曲げなければならないことがある。しかし、電気絶縁樹脂製コード６４を無理に曲げた状態では、電気絶縁樹脂製コード６４と一体化している裸電線６２に、電気絶縁樹脂製コード６４から強い曲げ応力が加わり続けることになるので、裸電線６２が断線するおそれがある。
【０００７】
また、電気発光エレメント６１は熱伝導性に劣る電気絶縁樹脂製コード６４に埋設されているので、電気発光エレメント６１から発生する熱が放散されずに電気発光エレメント６１の傍に蓄積されやすく、電気発光エレメント６１の寿命を縮めるおそれがある。
【０００８】
そこで、本考案は上記実情に鑑みてなされたものであり、その課題は、給電用電線の断線がし難く、しかも電気発光エレメントが短寿命化し難い電光表示器を提供することにある。
【課題を解決するための手段】
【０００９】
上記課題を解決するため、本考案に係る電光表示器は、点灯電力を供給する給電用電線に沿って複数の電気発光エレメントが分散配置されている電光表示器において、前記給電用電線としての絶縁被覆電線と、この絶縁被覆電線の長手方向に沿って所定距離を隔てて絶縁被覆電線と電気的に接続されている複数の電気発光エレメントと、前記絶縁被覆電線が電気発光エレメントごと挿通されている透光性および可撓性を有する管状中空体と、からなる表示器本体を備えていることを特徴とする。
【００１０】
この電光表示器の表示器本体では、給電用電線としての絶縁被覆電線の長手方向に沿って適当な距離をあけて絶縁被覆電線と電気的に接続されている複数の電気発光エレメントごと絶縁被覆電線が透光性および可撓性を有する管状中空体に挿通されているので、透光性を有する管状中空体が電気発光エレメントおよび給電用電線としての絶縁被覆電線の担持案内の役割を発光機能を損なわずに果たし、絶縁被覆電線の絶縁被覆が給電用電線の電気的絶縁の役割を、発光機能を損なわずに果たす。
【００１１】
したがって、本考案の電光表示器を使って例えば電光サインを造る時は、表示器本体を電光サインの図柄に沿って曲げて取り付けておいて、絶縁被覆電線を通電状態にして電気発光エレメントに点灯電力を供給することにより電気発光エレメントを光らせると、電光サインが図柄通りに明るく浮かびあがる。
【００１２】
さらに、本考案に係る電光表示器の場合、表示器本体では絶縁被覆電線が単に管状中空体に挿通されているだけで管状中空体と一体化されていないので、表示器本体を曲げても絶縁被覆電線に管状中空体から曲げ応力が加わらないのに加えて、管状中空体そのものが可撓性を有するので、表示器本体を曲げた時に強い曲げ応力が生じることもない。その結果、給電用電線である絶縁被覆電線が断線するおそれはない。
【００１３】
また、本考案に係る電光表示器の場合、複数の電気発光エレメントも単に管状中空体に挿入されているだけで電気発光エレメントの周りは空いているので、電気発光エレメントから発生する熱が放散されずに電気発光エレメントの傍に蓄積されることもない。その結果、電気発光エレメントの寿命が短くなるおそれもない。
【００１４】
よって、本考案の電光表示器によれば、給電用電線の断線、および、電気発光エレメントの短寿命化のおそれがなくなる。
【００１５】
本考案の好ましい実施形態として、前記管状中空体が、透明プラスチック製線材を螺旋状に巻回してなる長尺コイル体である形態が挙げられる。
【００１６】
この実施形態によれば、透明プラスチック製線材を螺旋状に巻回してなる長尺コイル体は極めて撓み易くて、管状中空体の可撓性が顕著となるので、電光表示器の表示器本体が曲がり易くなる。
【００１７】
本考案の他の好ましい実施形態として、前記長尺コイル体では、透明プラスチック製線材が線材同士の間にギャップを生じる状態で巻回されている形態が挙げられる。
【００１８】
この実施形態によれば、管状中空体である長尺コイル体に生じているギャップからは、電気発光エレメントの光が直接出射されるので、管状中空体の透光性が実質的に高まる。
【００１９】
本考案の他の好ましい実施形態として、前記表示器本体が、透光性材料からなるネット製の鞘状外套体で覆われている形態が挙げられる。
【００２０】
この実施形態によれば、電気発光エレメントの光が透光性材料からなるネット製の鞘状外套体により拡散されるので、発光領域が拡大すると共に、柔らかい拡散光が発せられて装飾効果を高めることができる。
【００２１】
本考案の他の好ましい実施形態として、前記絶縁被覆電線に生じた分枝ラインの先端に、電気発光エレメントが接続されている形態が挙げられる。
【００２２】
この実施形態によれば、電気発光エレメントごとに分枝ラインの長さの範囲で電気発光エレメントを動かして配置位置を調節できる。
【００２３】
本考案の他の好ましい実施形態として、電飾用である形態が挙げられる。
【００２４】
この実施形態によれば、電光サイン等といった電飾用の電光表示が行える。
【考案を実施するための最良の形態】
【００２５】
本考案の電光表示器の実施形態を、図面を参照して詳しく説明する。図１は、本実施形態に係る電飾用の電光表示器の表示器本体を中心として、一部を破断して内部を明示した状態で示す模式的な平面図である。
【００２６】
この電光表示器１は、図１に示すように、点灯電力を供給する給電用電線である絶縁被覆電線２Ａ〜２Ｃに沿って、複数の電気発光エレメント３Ａ〜３Ｇ，３ａ〜３ｇが分散配置されている。そして、給電用電線としての上記絶縁被覆電線２Ａ〜２Ｃと、これら絶縁被覆電線２Ａ〜２Ｃの長手方向に沿って所定距離を隔てて絶縁被覆電線２Ａ〜２Ｃと電気的に接続されている１４個の電気発光エレメント３Ａ〜３Ｇ，３ａ〜３ｇと、絶縁被覆電線２Ａ〜２Ｃが電気発光エレメント３Ａ〜３Ｇ，３ａ〜３ｇごと挿通されている透光性および可撓性を有する管状中空体としての長尺コイル体４と、からなる表示器本体５を備えている。なお、図１では長尺コイル体４を破断した状態を示す。
【００２７】
絶縁被覆電線２Ａ〜２Ｃとしては、例えば、縒り線タイプの絶縁樹脂被覆電線などが挙げられる。電気発光エレメント３Ａ〜３Ｇ，３ａ〜３ｇとしては、例えば高輝度発光ダイオード素子、あるいはネオンランプやエレクトロルミネッセンス素子あるいは白熱灯（電球）や蛍光灯などが挙げられる。各電気発光エレメント３Ａ〜３Ｇ，３ａ〜３ｇの発光色は同じでもよいし、異なっていてもよい。
【００２８】
電気発光エレメント３Ａ〜３Ｇは、直列接続となる状態で絶縁被覆電線２Ａに電気的に接続されており、電気発光エレメント３ａ〜３ｇは、直列接続となる状態で絶縁被覆電線２Ｂに電気的に接続されていて、絶縁被覆電線２Ｃが共通ライン（アースライン）となっている。
【００２９】
絶縁被覆電線２Ａ，２Ｂと電気発光エレメント３Ａ〜３Ｇ，３ａ〜３ｇの各接続部分では、図１の中に一点鎖線で囲んで拡大図では示したように、絶縁被覆電線２Ａ，２Ｂの一端を接続した後、絶縁被覆電線２Ａ，２Ｂを、一旦幾分後戻りさせてから再び先進させるようにして、絶縁被覆電線２Ａ，２Ｂに実質的に生じた分枝ライン２ａ，２ｂの先端に電気発光エレメント３Ａ〜３Ｇ，３ａ〜３ｇが接続されている構成となっている。したがって、電気発光エレメント３Ａ〜３Ｇ，３ａ〜３ｇごとに分枝ライン２ａ，２ｂの長さの範囲で、電気発光エレメントを移動させて配置位置を調節することができる。
【００３０】
また、電光表示器１の製造過程で、絶縁被覆電線２Ａ，２Ｂを電気発光エレメント３Ａ〜３Ｇ，３ａ〜３ｇごと長尺コイル体４に挿通する時に、絶縁被覆電線２Ａ，２Ｂを電線の長手方向に沿って動かすことにより、全電気発光エレメントの配置位置を一度に調節することができる。
【００３１】
各絶縁被覆電線２Ａ〜２Ｃの末端は、電光表示器を駆動電源側と電気的に接続するための３端子タイプの電気コネクタ６に接続されている。
【００３２】
一方、長尺コイル体４は、図２に示すように、塩化ビニル樹脂などの透明プラスチック製線材４Ａが線材同士の間にギャップ４ａを生じる状態で螺旋状に巻回されることにより、製作されたものである。長尺コイル体４に生じているギャップ４ａからは、電気発光エレメント３Ａ〜３Ｇ，３ａ〜３ｇの光が直接出射されるので、長尺コイル体４としての透光性が実質的に高まる。
【００３３】
他方、本実施形態の電光表示器１では、図３に示すように、表示器本体５が、透光性材料からなるネット７Ａ製の鞘状外套体７で覆われている。表示器本体５が鞘状外套体７で覆われている場合、電気発光エレメント３Ａ〜３Ｇ，３ａ〜３ｇの光が鞘状外套体７により拡散されるので、発光領域が拡大し、柔らかい拡散光を発することができる。
【００３４】
この電光表示器１の表示器本体５では、絶縁被覆電線２Ａ〜２Ｃの長手方向に沿って、適当な距離を隔てて絶縁被覆電線２Ａ〜２Ｃと電気的に接続されている１４個の電気発光エレメント３Ａ〜３Ｇ，３ａ〜３ｇごと絶縁被覆電線２Ａ〜２Ｃが透光性および可撓性を有する長尺コイル体４に挿通されているので、透光性を有する長尺コイル体４が電気発光エレメント３Ａ〜３Ｇ，３ａ〜３ｇおよび絶縁被覆電線２Ａ〜２Ｃの担持案内の役割を、発光機能を損なわずに果たし、また絶縁被覆電線２Ａ〜２Ｃの絶縁被覆が給電用電線の電気的絶縁の役割を、発光機能を損なわずに果たす。
【００３５】
したがって、この電光表示器１を使って例えば電光サインを造る時は、表示器本体５を電光サインの図柄に沿って曲げて取り付けておいて、絶縁被覆電線２Ａ〜２Ｃを通電状態にして、電気発光エレメント３Ａ〜３Ｇ，３ａ〜３ｇに点灯電力を供給することにより、電気発光エレメント３Ａ〜３Ｇ，３ａ〜３ｇを発光させると、電光サインが図柄通りに明るく浮かびあがる。
【００３６】
続いて、この電光表示器１の具体的な点灯動作を、図面を参照しながら説明する。図４は、実施形態の電光表示器１を用いた電光表示システムを示すブロック図である。
【００３７】
図４の電光表示システムの場合、電光表示器１が、給電形態を変更できる点灯制御器８および商用電源Ｅの電圧を、所定の電圧に調整する変圧器９を介して商用電源Ｅから給電を受ける。電光表示器１は、電気コネクタ６が電気コネクタ１０と結合されることで点灯制御器８と接続される。
【００３８】
そして、点灯制御器８では、プッシュスイッチ（押し釦スイッチ）８Ａを押す毎に給電形態が変化すると共に、電気発光エレメント３Ａ〜３Ｇ，３ａ〜３ｇは給電形態の変化に応じて発光態様を変化させる。
【００３９】
具体的には、プッシュスイッチ８Ａを押す毎に、例えば次の給電形態Ａおよび発光態様ａから給電形態Ｅおよび発光態様ｅへ順番に切り換わってゆく。給電形態Ｅおよび発光態様ｅに達すると、次は再び給電形態Ａおよび発光態様ａへ戻る。プッシュスイッチ８Ａを押さずとも、所定の時間を経ると、次の給電形態に自動的に切り換わる構成としてもよい。
【００４０】
両絶縁被覆電線２Ａ，２Ｂに同時に連続して給電する給電形態Ａでは、電気発光エレメント３Ａ〜３Ｇ，３ａ〜３ｇが全て点灯を続ける発光態様ａとなる。
【００４１】
両絶縁被覆電線２Ａ，２Ｂに間歇的な給電を同時に行う給電形態Ｂでは、全ての電気発光エレメント３Ａ〜３Ｇ，３ａ〜３ｇが同時に点滅する発光態様ｂとなる。
【００４２】
両絶縁被覆電線２Ａ，２Ｂに間歇的な給電を交互に行う給電形態Ｃでは、全ての電気発光エレメント３Ａ〜３Ｇ，３ａ〜３ｇが交互に点滅する発光態様ｃとなる。
【００４３】
給電形態Ｂにおいて間歇的な給電を行う間隔を、時間の経過と共に変化させる給電態様Ｄでは、同時に点滅する全電気発光エレメント３Ａ〜３Ｇ，３ａ〜３ｇの点滅間隔が時間の経過と共に変化する発光態様ｄとなる。
【００４４】
給電形態Ｃにおいて間歇的な給電を行う間隔を、時間の経過と共に変化させる給電態様Ｅでは、交互に点滅する全電気発光エレメント３Ａ〜３Ｇ，３ａ〜３ｇの点滅間隔が時間の経過と共に変化する発光態様ｅとなる。
【００４５】
光電表示器１を実際に使用する場合、例えば、図５に示すように、電光サインＳＡの図柄が、ダブルベルであれば、複数個の電光表示器１を使って電光サインの図柄に沿って曲げて取り付けると共に、複数個の電光表示器１を点灯制御器８に接続すれば、ダブルベルの図柄の電光サインＳＡを時間と共に様々に変化させながら光らすことができる。
【００４６】
以上に述べた構成を有する本実施形態の電光表示器１の場合、表示器本体５では、絶縁被覆電線２Ａ〜２Ｃが単に長尺コイル体４に挿通されているだけで長尺コイル体４と一体化されていないので、表示器本体５を曲げても絶縁被覆電線２Ａ〜２Ｃに長尺コイル体４から曲げ応力が加わらないのに加えて、長尺コイル体４そのものが可撓性を有するので、表示器本体５を曲げた時に強い曲げ応力が生じることもない。その結果、絶縁被覆電線２Ａ〜２Ｃが断線するおそれはない。
【００４７】
また、本実施形態の電光表示器１の場合、１４個の電気発光エレメント３Ａ〜３Ｇ，３ａ〜３ｇも単に長尺コイル体４に挿入されているだけで、電気発光エレメント３Ａ〜３Ｇ，３ａ〜３ｇの周りは空間が形成されているので、電気発光エレメント３Ａ〜３Ｇ，３ａ〜３ｇから発生する熱が、放散されずに電気発光エレメント３Ａ〜３Ｇ，３ａ〜３ｇの傍に蓄積されることもない。その結果、電気発光エレメント３Ａ〜３Ｇ，３ａ〜３ｇが短寿命化するおそれもない。
【００４８】
よって、実施形態の電光表示器１によれば、給電用電線の断線、および、電気発光エレメントの短寿命化のおそれがなくなる。
【００４９】
〔別実施の形態〕
（１）給電用電線としての絶縁被覆電線の本数や電気発光エレメントの数、あるいは、絶縁被覆電線と電気発光エレメントの接続態様は、上記実施形態に限られない。絶縁被覆電線の本数は、２本でもよいし４本以上であってもよい。電気発光エレメントの数も、数個でもよいし数十個でもよい。絶縁被覆電線と電気発光エレメントの接続形態も並列接続であってもよい。
【００５０】
（２）本実施形態の電光表示器では、管状中空体が長尺コイル体４であったが、長尺コイル体以外の管状中空筒体であってもよい。
【００５１】
（３）本考案の電光表示器は電飾用に限らない。例えば、侵入者を検知する防犯装置が作動した時に点灯して、不審人物の侵入があったことを報せる警報用であってもよい。
【図面の簡単な説明】
【００５２】
【図１】本考案の一実施形態に係る電光表示器の表示器本体を中心として模式的に示す平面図
【図２】図１の電光表示器の表示器本体における長尺コイル体を示す平面図
【図３】図１の電光表示器の全体構成を示す平面図
【図４】図１の電光表示器を用いた電光表示システムを示すブロック図
【図５】図１の電光表示器が適用される電光サインの一例を示す概略図
【図６】従来の電光表示器の要部構成を示す平面図
【符号の説明】
【００５３】
１                      電光表示器
２Ａ〜２Ｃ              絶縁被覆電線
２ａ，２ｂ              （絶縁被覆電線の）分枝ライン
３Ａ〜３Ｇ，３ａ〜３ｇ  電気発光エレメント
４                      長尺コイル体（管状中空体）
４Ａ                    透明プラスチック製線材
５                      表示器本体
７                      鞘状外套体
７Ａ                    透光性材料からなるネット
【図１】
0003122077.tif 000003
【図２】
0003122077.tif 000004
【図３】
0003122077.tif 000005
【図４】
0003122077.tif 000006
【図５】
0003122077.tif 000007
【図６】
0003122077.tif 000008